(57)【要約】【課題】ノート型パソコンにおいて、縦長の書類を見たり、横長用のホームページやアプリケーションソフトを見るなど、状況に応じて画面を縦長にしたり、横長にしたりするのは、不便であった。【解決手段】ノート型パソコンに縦長の画面と横長の画面の２つを設けることにより、横長用に作成されたホームページやアプリケーションソフトウェアを参照しながら縦長のビジネス書類を作成したり閲覧することができる。さらに、テレビ会議においては、縦長の画面で会議用の資料を表示し、横長の画面で相手の顔を表示すれば、相手の顔を見ながら画像を切り換えなしに同時に資料に目を通すことができるので、スムーズな会議進行が期待できる。【選択図】      図１
2004246847.tif 000002
【特許請求の範囲】
【請求項１】
操作面に多数の操作キーを備えたキーボードケースに取付けられ、起立したパネル式の第１表示手段と、前記キーボードケースのうち前記操作面に設けられ、前記第１表示手段よりも小さい表示面積とされたパネル式の第２表示手段と、を備えていることを特徴とするノート型パソコン。
【請求項２】
前記第１表示手段が縦長の画面で、前記第２表示手段が横長の画面であることを特徴とする請求項１記載のノート型パソコン。
【請求項３】
表示手段を画像表示させる状態と画像表示させない状態を切り換えるためのスイッチ手段と、該スイッチ手段の切換操作に応じて、画像表示させる状態と画像表示させない状態を切り換える表示制御手段と、を有することを特徴とする請求項１および２記載のノート型パソコン。
【請求項４】
前記第１表示手段の表示内容と前記第２表示手段の表示内容が異なることが可能であることを特徴とする請求項１、２および３記載のノート型パソコン。
【発明の詳細な説明】
【０００１】
【発明の属する技術分野】
本発明は情報処理装置であるラップトップ型やノートブック型などの携帯型パーソルコンピュータに係り、詳しくはディスプレイ等の画面を有する表示部を備えた携帯型パーソルコンピュータに関するものである。
【０００２】
【従来の技術】
コンピュータの中には、ノートブック型パーソナルコンピュータ（以下ノート型パソコンという）で代表されるように、操作面に画像処理用の多数の操作キーを備えたキーボードケースに対してパネル式の表示手段を取付けたものがある。すなわち、ノート型パソコンにあっては、キーボードケースに対して蓋部材が開閉自在に取付けられて、この蓋部材の内面にパネル式の表示手段が一体化されており、蓋部材を開くことにより、表示手段が操作キー側を向いた起立位置となる。操作者は、起立位置にある表示手段に表示される画像を確認しつつ、画像が所望のものとなるように操作キーを操作することになる。
【０００３】
ところで、このノート型パソコンにおいて、従来、表示部は横長の画面を有していた。したかって、インターネットのホームページや他のアプリケーションソフトウェアは、この横長の画面を想定して表示されるように作成されている。
【０００４】
【発明が解決しようとする課題】
パソコンは、インターネットのホームページなどの閲覧の他にビジネス書類の作成や閲覧に使用される。しかし、ビジネス書類の多くは縦長であり、この縦長のビジネス書類は、ノート型パソコンの画面が横長なので書類の１ページが画面から欠けて一度に表示することができなかった。したがって、画面を上下にスクロールさせて１ページを見ていた。
【０００５】
原稿の校正をする時は、ページの始めの部分と終わりの部分の内容が整合性が有るか否かを比較しながら行うため、従来の横長の画面では頻繁に画面の上下のスクロールが必要になり不便であった。また、集計表のような書類は、書類の上の部分に項目が記載され、その結果が書類の下の部分に記載される。項目と結果を対比しながら見るためには、従来の横長の画面では頻繁に画面の上下のスクロールが必要になり不便であった。
【０００６】
上のような問題を解決するために、通常横長の画面を縦長にできるようにして、状況に応じて使い分けができるようにしたノート型パソコンが考案されている。
【０００７】
しかし、パソコンを使用する場合は、縦長の画面に適したアプリケーションと横長の画面に適したアプリケーションを混在して使用することが多く、そのつど画面を縦にしたり横にしたりするのは不便であった。更に、書類を作成する場合、他の書類を参照しながら作成することが多いが、一つの画面だけでは、書類が重なってしまうので、書類の切り替えを頻繁に行わなければならず不便であった。
【０００８】
ところで、テレビ会議の端末装置にノート型パソコンを使用する例が多くなったが、テレビ会議では、会議の資料と相手の顔を同時に表示することができれば、会議の進行がスムーズになる。しかし、従来のノート型パソコンでは、会議の資料と相手の顔を同時に表示すると十分な大きさの表示が難しかった。十分な大きさの表示を確保するためには、資料と相手の顔を切り替えて表示する必要があり不便であった。
【０００９】
本発明は前述した事情に鑑みてなされたものであり、画面を縦長にしたり、横長にしたりすることがなく、また、書類を画面いっぱいに表示しながらも書類が重ならないようにすることができる新規なノート型パソコンを提供するものである。
【００１０】
【課題を解決するための手段】
前記目的を達成するため、本発明における画像表示装置にあっては、その第１の解決手法として次のようにしてある。すなわち、特許請求の範囲における請求項１に記載のように、ノート型パソコンにおいて、操作面に多数の操作キーを備えたキーボードケースに取付けられ、起立したパネル式の第１表示手段と、前記キーボードケースのうち前記操作面に設けられ、前記第１表示手段よりも小さい表示面積とされたパネル式の第２表示手段と、を備えていることを特徴とするものである。
【００１１】
前記目的を達成するため、本発明における画像表示装置にあっては、その第２の解決手法として次のようにしてある。すなわち、特許請求の範囲における請求項２に記載のように、請求項１記載のノート型パソコンにおいて、前記第１表示手段が縦長の画面で、前記第２表示手段が横長の画面であることを特徴とするものである。
【００１２】
前記目的を達成するため、本発明における画像表示の制御方法にあっては、その解決手法として次のようにしてある。すなわち、特許請求の範囲における請求項３に記載のように、請求項１および２記載のノート型パソコンにおいて、表示手段を画像表示させる状態と画像表示させない状態を切り換えるためのスイッチ手段と、該スイッチ手段の切換操作に応じて、画像表示させる状態と画像表示させない状態を切り換える表示制御手段と、を有することを特徴とするものである。
【００１３】
前記目的を達成するため、本発明における画像表示の制御方法にあっては、その解決手法として次のようにしてある。すなわち、特許請求の範囲における請求項４に記載のように、請求項１、２および３記載のノート型パソコンにおいて、前記第１表示手段の表示内容と前記第２表示手段の表示内容が異なることが可能であることを特徴とする。
【００１４】
【発明の実施の形態】
以下、本発明の実施例を図面に従って説明する。
【００１５】
図１は、本実施例を示すもので、第１表示手段が起立位置にあるときのノート型パソコンの全体斜視図である。このノート型パソコン１は、既知のように、キーボードケース５と、蓋部材（蓋ケース）２とを有する。キーボードケース５の上面となる広い面積を有する操作面７には、多数の操作キー６が配設されている。この操作キー６は、文字入力用キーや各種機能キーであって、縦、横にほぼ規則正しく行列形式でもって配設されている。そして、このような多数の操作キー６は、全体として、キーボードケース５の極力手前側に位置するように設定されている。蓋部材２には、その内面側において、第１表示手段（表示画面）３が一体化されている。第１表示手段３は、例えば液晶式やプラズマ式等のパネル式とされて、ノート型パソコンにおいて一般的に使用されているものである。第１表示手段２は、縦長の形状として、ビジネス書類を作成したり閲覧したりするのに適したものとする。
【００１６】
キーボードケース５の操作面７には、多数の操作キー６よりも奥側つまりキーボードケース５後縁部に近い側において、第２表示手段（表示画面）４が配設されている。この第２表示手段４も、液晶式やプラズマ式等のパネル式とされている。第２表示手段４は、横長の形状として、ＷＷＷのホームページや従来の横長の画面で利用し易いように作成されたアプリケーションソフトウェアを利用するのに適したものとした。第１表示手段３と第２表示手段４は、別々な画像を表示することができる。
【００１７】
第１表示手段３と第２表示手段４との表示（ＯＮ）、非表示（ＯＦＦ）とを個々独立して切換えるために、例えば図２に示すような制御回路が構成される。この図２に示す制御回路において、１１は第１表示手段３の表示ドライバ、１２は第２表示手段４の表示ドライバ、１３は両表示ドライバ１１、１２に画像表示の信号を出力する表示制御ブロックである。表示制御ブロック１３は、コンピュータの主制御部（ＰＣブロック）１４からの画像表示命令信号に基づいて、各表示ドライバ１１、１２の駆動を制御する。主制御部１４は、操作キー６の操作に基づいてどのような画像表示を提供するかの演算を行う。
【００１８】
図２中、１５は第１表示手段３と第２表示手段４用の電源供給ブロックであり、この電源供給ブロック１５からの電源が、リレースイッチ１６を介して第１表示手段３および表示ドライバ１１に供給され、リレースイッチ１７を介して第２表示手段４およびその表示ドライバ１２に供給される。この各リレースイッチ１６、１７は、表示用電源制御部（ＣＰＵ）１８によってその開閉（ＯＮ、ＯＦＦ）が制御される。
【００１９】
上記表示用電源制御部１８には、キー操作者によってマニュアル操作される第１スイッチ２０、および第２スイッチ２１（図１参照）からのＯＮ、ＯＦＦ信号が入力される。第１スイッチ２０および第２スイッチ２１は、例えば図１に示すように、キーボードケース１の操作面７のうち操作キー６の近傍に専用のスイッチとして設けられている。ただし、この第１スイッチ２０および第２スイッチ２１は、独立したスイッチとして構成することなく、例えば多数の操作キー６のうち所定の複数の操作キー６を同時操作することによってそのＯＮ、ＯＦＦを切換えるいわゆるソフトキーとして構成することもできる。
【００２０】
表示用電源制御部１８の制御内容について、以下に分説する。
（１）第１スイッチ２０がＯＮで、第２スイッチ２１がＯＦＦのときは、第１表示手段３に画像表示されるが、第２表示手段４は画像表示されない（リレースイッチ１６がＯＮ，１７がＯＦＦ）。これを第１表示状態と呼ぶ。この第１表示状態は、主に縦長のビジネス書類の作成または閲覧をする場合のみに選択される。
【００２１】
（２）第１スイッチ２０がＯＦＦで、第２スイッチ２１がＯＮのときは、第１表示手段３に画像表示されないが、第２表示手段４に画像表示される（リレースイッチ１６がＯＦＦ，１７がＯＮ）。これを第２表示状態と呼ぶ。この第２表示状態は、主にホームページの閲覧や横長の画面を想定したアプリケーションソフトを使用する場合のみに選択される。
【００２２】
（３）第１スイッチ２０がＯＮで、第２スイッチ２１もＯＮのときは、第１表示手段３と、第２表示手段４の両方に画像表示される（リレースイッチ１６がＯＮ，１７もＯＮ）。これを第３表示状態と呼ぶ。この第３表示状態は、第２表示手段４で、ホームページの閲覧または横長の画面を想定したアプリケーションソフトを使用しながら、第１表示手段３で、縦長のビジネス書類の作成または閲覧をする場合に選択される。さらに、テレビ会議においては、第１表示手段３に会議用の資料を表示し、第２表示手段４に相手の顔を表示することができる。この場合、相手の顔を見ながら画像を切り換えなしに同時に資料に目を通すことができるので、スムーズな会議進行が期待できる。
【００２３】
二つの画面はメモリ上で連続して配置しているため、第３表示状態では、マウスを大きく移動させて、マウスポインターを２つの画面間で行き来することができる。また、アイコンやウインドウをドラックすることにより、２つの画面間を移動することができる。
【００２４】
【発明の効果】
以上、詳細に説明した本発明によれば、下記のような効果を奏するものである。ノート型パソコンに縦長の画面と横長の画面の２つを設けることにより、横長用に作成されたホームページやアプリケーションソフトウェアを参照しながら縦長のビジネス書類を作成したり閲覧することができる。さらに、テレビ会議においては、縦長の画面で会議用の資料を表示し、横長の画面で相手の顔を表示すれば、相手の顔を見ながら画像を切り換えなしに同時に資料に目を通すことができるので、スムーズな会議進行が期待できる。
【図面の簡単な説明】
【図１】本発明をノート型パソコンに適用した場合の一例を示すもので、第１表示手段が起立位置にあるときの全体斜視図である。
【図２】画像表示の制御回路の一例を示すブロック回路図である。
【符号の説明】
１ノート型パソコン、２蓋部材、３第１表示手段、４第２表示手段、５キーボードケース、６操作キー、７操作面、１１表示ドライバ（第１表示手段用）、１２表示ドライバ（第２表示手段用）、１３表示制御ブロック、１４主制御部、１５電源供給ブロック、１６リレースイッチ（第１表示手段用）、１７  リレースイッチ（第２表示手段用）、１８表示用電源制御部、２０第１スイッチ（第１表示手段用）、２１第２スイッチ（第２表示手段用）
【図１】
2004246847.tif 000003
【図２】
2004246847.tif 000004